(57)【要約】【課題】  冷凍サイクル中に蒸発器となる熱交換器で生じたドレン水を受けるためのドレンパンをケーシングの片側に配置し、調湿装置を据え付ける際の作業工数を削減すると共に調湿装置の設置自由度を高める。【解決手段】  ケーシング（10）内の下流側空間（91）のうち第１空間（41）には排気ファン（95）及び第１熱源用熱交換器（103）が、第２空間（42）には圧縮機（101）、給気ファン（96）及び第２熱源用熱交換器（104）が設置される。第１，第２熱源用熱交換器（103,104）は、排気ファン（95）及び給気ファン（96）の吸込側に設けられる。第１，第２熱源用熱交換器（103,104）の下方に１つだけ設置されるドレンパン（105）へ落下したドレン水は、ドレン集合部（109）に集められた後、ドレンポンプ（120）によって吸い上げられ、排水管（130）を通じてケーシング（10）の外部へ排出される。【選択図】  図７
2005049047.tif 000002
【特許請求の範囲】
【請求項１】
ファン（95,96）と吸着素子（81,82）とが収納されて内部を被処理空気が流通するケーシング（10）と、
上記吸着素子（81,82）を再生するために該吸着素子（81,82）へ向かう被処理空気を加熱する加熱用熱交換器（102）と、吸着素子（81,82）を通過した被処理空気との熱交換により冷媒を蒸発させるための熱源用熱交換器（103,104）とが接続されて冷凍サイクルを行う冷媒回路とを備え、
上記吸着素子（81,82）を用いて被処理空気の湿度調節を行う調湿装置であって、
上記ケーシング（10）内には、上記吸着素子（81,82）を通過した被処理空気が流入する下流側空間（91）が１つ形成され、
上記下流側空間（91）には、第１の熱源用熱交換器（103）が設置されて室外に連通する第１空間（41）と、第２の熱源用熱交換器（104）が設置されて室内に連通する第２空間（42）とが形成されており、
上記下流側空間（91）に設置されて上記第１及び第２の熱源用熱交換器（103,104）で生じたドレン水を受けるドレンパン（105,106,107）と、
上記ドレンパン（105,106,107）が受けたドレン水を排出する排水手段（1）とを備えている調湿装置。
【請求項２】
請求項１に記載の調湿装置において、
第１空間（41）における第１の熱源用熱交換器（103）の下流側に第１のファン（95）が設置され、第２空間（42）における第２の熱源用熱交換器（104）の下流側に第２のファン（96）が設置されており、
排水手段（1）は、ドレンパン（105,106,107）に溜まったドレン水を吸い上げるためのドレンポンプ（120,121,122）と、該ドレンポンプ（120,121,122）に接続されてドレン水をケーシング（10）の外部へ導くための排水管（130,131,132）とを備えている調湿装置。
【請求項３】
請求項１に記載の調湿装置において、
第１空間（41）における第１の熱源用熱交換器（103）の上流側に第１のファン（95）が設置され、第２空間（42）における第２の熱源用熱交換器（104）の上流側に第２のファン（96）が設置されており、
排水手段（1）は、ドレンパン（105,106,107）に溜まったドレン水をケーシング（10）の外部へ導くための排水管（130,131,132）を備えている調湿装置。
【請求項４】
請求項２又は３に記載の調湿装置において、
ドレンパン（106,107）は、第１空間（41）における第１の熱源用熱交換器（103）の下方と、第２空間（42）における第２の熱源用熱交換器（104）の下方とに１つずつ設けられ、
排水手段（1）が、上記各ドレンパン（106,107）に溜まったドレン水をドレンパン（106,107）ごとに排出している調湿装置。
【請求項５】
請求項２又は３に記載の調湿装置において、
第１空間（41）における第１の熱源用熱交換器（103）の下方に第１のドレンパン（106）が、第２空間（42）における第２の熱源用熱交換器（104）の下方に第２のドレンパン（107）がそれぞれ設けられ、
上記第１のドレンパン（106）と第２のドレンパン（107）の間には、第１及び第２のドレンパン（106,107）からドレン水が流入する第３のドレンパン（108）が設けられており、
排水手段（1）が、上記第３のドレンパン（108）からドレン水を排出している調湿装置。
【請求項６】
請求項２又は３に記載の調湿装置において、
ドレンパン（105）は、第１及び第２の熱源用熱交換器（103,104）で生じたドレン水を受けるように構成されて１つだけ配置されている調湿装置。
【請求項７】
請求項６に記載の調湿装置において、
ドレンパン（105）には、熱源用熱交換器（103,104）から落下したドレン水を集めるためのドレン集合部（109）が１つ形成される一方、
下流側空間（91）に第１空間（41）を形成するための仕切板（73）には、ドレン水を上記ドレン集合部（109）へ導くための連通口（76）が設けられ、
排水手段（1）が、上記ドレン集合部（109）に集まったドレン水を排出している調湿装置。
【請求項８】
請求項７に記載の調湿装置において、
ドレン集合部（109）は、下流側空間（91）における第１空間（41）の外部に設けられている調湿装置。
【請求項９】
請求項８に記載の調湿装置において、
ドレン集合部（109）は、第２空間（42）に設けられている調湿装置。
【請求項１０】
請求項８に記載の調湿装置において、
下流側空間（91）では、圧縮機（101）を収納するための圧縮機室（43）が形成され、
上記圧縮機室（43）にドレン集合部（109）が設けられている調湿装置。
【請求項１１】
請求項７に記載の調湿装置において、
仕切板（73）には、連通口（76）を通じた第１空間（41）への空気の出入りを抑制する流通制限機構（77）が設けられている調湿装置。
【請求項１２】
請求項２に記載の調湿装置において、
ドレンパン（105）は、第１及び第２の熱源用熱交換器（103,104）で生じたドレン水を受けるように構成されて１つだけ配置され、
上記ドレンパン（105）には、熱源用熱交換器（103,104）から落下したドレン水を集めるためのドレン集合部（109）が１つ形成される一方、
排水手段（1）のドレンポンプ（120）は、上記ドレン集合部（109）に集まったドレン水を吸い込むように配置され、
下流側空間（91）に第１空間（41）を形成するための仕切板（73）には、ドレン水を上記ドレン集合部（109）へ導くための連通口（76）及び連通口（76）を通じた第１空間（41）への空気の出入りを抑制する流通制限機構（77）が設けられ、
上記流通制限機構（77）は、ドレンポンプ（120）の吸込口よりも高い位置に設けられている調湿装置。
【請求項１３】
請求項７に記載の調湿装置において、
ドレン集合部（109）へドレン水を導くために第１のファン（95）及び第２のファン（96）を一時的に停止させる動作を行う調湿装置。
【請求項１４】
請求項２に記載の調湿装置において、
ドレンパン（105）は、第１及び第２の熱源用熱交換器（103,104）で生じたドレン水を受けるように構成されて１つだけ配置され、
上記ドレンパン（105）には、熱源用熱交換器（103,104）から落下したドレン水を集めるためのドレン集合部（109）が１つ形成される一方、
上記ドレン集合部（109）は、下流側空間（91）における第１空間（41）の外部に設けられ、
排水手段（1）のドレンポンプ（120）は、上記ドレン集合部（109）に集まったドレン水を吸い込むように配置され、
下流側空間（91）に第１空間（41）を形成するための仕切板（73）には、ドレン水を上記ドレン集合部（109）へ導くための連通口（76）が設けられ、
上記ドレン集合部（109）へドレン水を導くために第１のファン（95）を一時的に停止させる動作を行う調湿装置。
【請求項１５】
請求項３に記載の調湿装置において、
ドレンパン（105）は、第１及び第２の熱源用熱交換器（103,104）で生じたドレン水を受けるように構成されて１つだけ配置され、
上記ドレンパン（105）には、熱源用熱交換器（103,104）から落下したドレン水を集めるためのドレン集合部（109）が１つ形成される一方、
上記ドレン集合部（109）は、下流側空間（91）における第１空間（41）の外部に設けられ、
排水手段（1）のドレンポンプ（120）は、上記ドレン集合部（109）に集まったドレン水を吸い込むように配置され、
下流側空間（91）に第１空間（41）を形成するための仕切板（73）には、ドレン水を上記ドレン集合部（109）へ導くための連通口（76）が設けられ、
上記ドレン集合部（109）へドレン水を導くために第２のファン（96）を一時的に停止させる動作を行う調湿装置。
【発明の詳細な説明】
【技術分野】
【０００１】
本発明は、空気の湿度調節を行う調湿装置に関するものである。
【背景技術】
【０００２】
従来より、特許文献１に開示されているように、吸着剤を用いて空気の湿度調節を行う調湿装置が知られている。この調湿装置は、室外空気と室内空気の流通経路を切り換えることにより、２つの吸着素子を交互に用いて室内へ供給する空気の除湿又は加湿を行うものである。
【０００３】
具体的に、調湿装置のケーシングは、２つの仕切部材によって長手方向に３つの空間に仕切られている。最も手前側の室外側パネルに沿う空間及び最も奥側の室内側パネルに沿う空間には、蒸発器として機能する冷却熱交換器がそれぞれ設けられている。中央の空間には、吸着剤が担持された２つの吸着素子及び凝縮器として機能する再生熱交換器が設けられている。この冷却熱交換器及び再生熱交換器は、冷媒回路に設けられている。
【０００４】
除湿動作時には、一方の吸着素子に室外空気中の水分が吸着される。除湿された空気は、最も奥側の空間内の冷却熱交換器を通過する間に冷却され、その後に室内へ供給される。一方、取り込まれた室内空気は、一方の吸着素子で発生する吸着熱を吸熱した後に再生熱交換器で加熱され、他方の吸着素子を再生した後に室外へ排出される。加湿動作時には、一方の吸着素子に室内空気中の水分が吸着される。水分を奪われた空気は、最も手前側の空間内の冷却熱交換器を通過する間に冷却され、その後に室外へ排出される。一方、取り込まれた室外空気は、一方の吸着素子で発生する吸着熱を吸熱した後に再生熱交換器で加熱され、他方の吸着素子を再生した後に室内へ供給される。
【特許文献１】特開２００３−１３９３４９号公報
【発明の開示】
【発明が解決しようとする課題】
【０００５】
上記特許文献１に開示された調湿装置では、冷凍サイクル中に蒸発器として機能する冷却熱交換器が、最も手前側の室外側パネルに沿う空間と最も奥側の室内側パネルに沿う空間とに設けられている。このようにケーシング内の手前側と奥側に冷却熱交換器を配置する場合、これら冷却熱交換器の下方には、ドレン水を受けるためのドレンパンが１つずつ設置され、各ドレンパンからドレン水を排出するための排水管がドレンパンごとに設けられる。
【０００６】
このため、調湿装置を据え付ける際には、調湿装置の排水管にドレンホースを接続するといった作業をケーシングの手前側と奥側の２ヶ所で行う必要があり、調湿装置の据え付け作業が煩雑化していた。また、そのための作業スペースをケーシングの手前側と奥側の両方に確保しなければならず、調湿装置を設置する際の制約が大きくなるという問題もあった。
【０００７】
本発明は、かかる点に鑑みてなされたものであり、その目的とするところは、冷媒回路を備える調湿装置において、冷凍サイクル中に蒸発器となる熱交換器で生じたドレン水を受けるためのドレンパンをケーシングの片側に配置することにより、調湿装置を据え付ける際の作業工数を削減すると共に調湿装置の設置自由度を高めることにある。
【課題を解決するための手段】
【０００８】
第１の発明は、ファン（95,96）と吸着素子（81,82）とが収納されて内部を被処理空気が流通するケーシング（10）と、上記吸着素子（81,82）を再生するために該吸着素子（81,82）へ向かう被処理空気を加熱する加熱用熱交換器（102）と、吸着素子（81,82）を通過した被処理空気との熱交換により冷媒を蒸発させるための熱源用熱交換器（103,104）とが接続されて冷凍サイクルを行う冷媒回路とを備え、上記吸着素子（81,82）を用いて被処理空気の湿度調節を行う調湿装置を対象としている。
【０００９】
そして、上記ケーシング（10）内には、上記吸着素子（81,82）を通過した被処理空気が流入する下流側空間（91）が１つ形成され、上記下流側空間（91）には、第１の熱源用熱交換器（103）が設置されて室外に連通する第１空間（41）と、第２の熱源用熱交換器（104）が設置されて室内に連通する第２空間（42）とが形成されており、上記下流側空間（91）に設置されて上記第１及び第２の熱源用熱交換器（103,104）で生じたドレン水を受けるドレンパン（105,106,107）と、上記ドレンパン（105,106,107）が受けたドレン水を排出する排水手段（1）とを備えるものである。
【００１０】
第２の発明は、請求項１に記載の調湿装置において、第１空間（41）における第１の熱源用熱交換器（103）の下流側に第１のファン（95）が設置され、第２空間（42）における第２の熱源用熱交換器（104）の下流側に第２のファン（96）が設置されており、排水手段（1）は、ドレンパン（105,106,107）に溜まったドレン水を吸い上げるためのドレンポンプ（120,121,122）と、該ドレンポンプ（120,121,122）に接続されてドレン水をケーシング（10）の外部へ導くための排水管（130,131,132）とを備えるものである。
【００１１】
第３の発明は、請求項１に記載の調湿装置において、第１空間（41）における第１の熱源用熱交換器（103）の上流側に第１のファン（95）が設置され、第２空間（42）における第２の熱源用熱交換器（104）の上流側に第２のファン（96）が設置されており、排水手段（1）は、ドレンパン（105,106,107）に溜まったドレン水をケーシング（10）の外部へ導くための排水管（130,131,132）を備えるものである。
【００１２】
第４の発明は、請求項２又は３に記載の調湿装置において、ドレンパン（106,107）は、第１空間（41）における第１の熱源用熱交換器（103）の下方と、第２空間（42）における第２の熱源用熱交換器（104）の下方とに１つずつ設けられ、排水手段（1）が、上記各ドレンパン（106,107）に溜まったドレン水をドレンパン（106,107）ごとに排出するものである。
【００１３】
第５の発明は、請求項２又は３に記載の調湿装置において、第１空間（41）における第１の熱源用熱交換器（103）の下方に第１のドレンパン（106）が、第２空間（42）における第２の熱源用熱交換器（104）の下方に第２のドレンパン（107）がそれぞれ設けられ、上記第１のドレンパン（106）と第２のドレンパン（107）の間には、第１及び第２のドレンパン（106,107）からドレン水が流入する第３のドレンパン（108）が設けられており、排水手段（1）が、上記第３のドレンパン（108）からドレン水を排出するものである。
【００１４】
第６の発明は、請求項２又は３に記載の調湿装置において、ドレンパン（105）は、第１及び第２の熱源用熱交換器（103,104）で生じたドレン水を受けるように構成されて１つだけ配置されるものである。
【００１５】
第７の発明は、請求項６に記載の調湿装置において、ドレンパン（105）には、熱源用熱交換器（103,104）から落下したドレン水を集めるためのドレン集合部（109）が１つ形成される一方、下流側空間（91）に第１空間（41）を形成するための仕切板（73）には、ドレン水を上記ドレン集合部（109）へ導くための連通口（76）が設けられ、排水手段（1）が、上記ドレン集合部（109）に集まったドレン水を排出するものである。  第８の発明は、請求項７に記載の調湿装置において、ドレン集合部（109）は、下流側空間（91）における第１空間（41）の外部に設けられるものである。
【００１６】
第９の発明は、請求項８に記載の調湿装置において、ドレン集合部（109）は、第２空間（42）に設けられるものである。
【００１７】
第１０の発明は、請求項８に記載の調湿装置において、下流側空間（91）では、圧縮機（101）を収納するための圧縮機室（43）が形成され、上記圧縮機室（43）にドレン集合部（109）が設けられるものである。
【００１８】
第１１の発明は、請求項７に記載の調湿装置において、仕切板（73）には、連通口（76）を通じた第１空間（41）への空気の出入りを抑制する流通制限機構（77）が設けられるものである。
【００１９】
第１２の発明は、請求項２に記載の調湿装置において、ドレンパン（105）は、第１及び第２の熱源用熱交換器（103,104）で生じたドレン水を受けるように構成されて１つだけ配置され、上記ドレンパン（105）には、熱源用熱交換器（103,104）から落下したドレン水を集めるためのドレン集合部（109）が１つ形成される一方、排水手段（1）のドレンポンプ（120）は、上記ドレン集合部（109）に集まったドレン水を吸い込むように配置され、下流側空間（91）に第１空間（41）を形成するための仕切板（73）には、ドレン水を上記ドレン集合部（109）へ導くための連通口（76）及び連通口（76）を通じた第１空間（41）への空気の出入りを抑制する流通制限機構（77）が設けられ、上記流通制限機構（77）は、ドレンポンプ（120）の吸込口よりも高い位置に設けられるものである。
【００２０】
第１３の発明は、請求項７に記載の調湿装置において、ドレン集合部（109）へドレン水を導くために第１のファン（95）及び第２のファン（96）を一時的に停止させる動作を行うものである。
【００２１】
第１４の発明は、請求項２に記載の調湿装置において、ドレンパン（105）は、第１及び第２の熱源用熱交換器（103,104）で生じたドレン水を受けるように構成されて１つだけ配置され、上記ドレンパン（105）には、熱源用熱交換器（103,104）から落下したドレン水を集めるためのドレン集合部（109）が１つ形成される一方、上記ドレン集合部（109）は、下流側空間（91）における第１空間（41）の外部に設けられ、排水手段（1）のドレンポンプ（120）は、上記ドレン集合部（109）に集まったドレン水を吸い込むように配置され、下流側空間（91）に第１空間（41）を形成するための仕切板（73）には、ドレン水を上記ドレン集合部（109）へ導くための連通口（76）が設けられ、上記ドレン集合部（109）へドレン水を導くために第１のファン（95）を一時的に停止させる動作を行うものである。
【００２２】
第１５の発明は、請求項３に記載の調湿装置において、ドレンパン（105）は、第１及び第２の熱源用熱交換器（103,104）で生じたドレン水を受けるように構成されて１つだけ配置され、上記ドレンパン（105）には、熱源用熱交換器（103,104）から落下したドレン水を集めるためのドレン集合部（109）が１つ形成される一方、上記ドレン集合部（109）は、下流側空間（91）における第１空間（41）の外部に設けられ、排水手段（1）のドレンポンプ（120）は、上記ドレン集合部（109）に集まったドレン水を吸い込むように配置され、下流側空間（91）に第１空間（41）を形成するための仕切板（73）には、ドレン水を上記ドレン集合部（109）へ導くための連通口（76）が設けられ、上記ドレン集合部（109）へドレン水を導くために第２のファン（96）を一時的に停止させる動作を行うものである。
【００２３】
−作用−
上記第１の発明では、ケーシング（10）内の下流側空間（91）に室外に連通する第１空間（41）と室内に連通する第２空間（42）とが形成される。第１空間（41）には第１の熱源用熱交換器（103）が設置され、第２空間（42）には第２の熱源用熱交換器（104）が設置される。一方、第１及び第２の熱源用熱交換器（103,104）の下方には、これら熱源用熱交換器（103,104）を通過する被処理空気と冷媒との熱交換により生じたドレン水を受けるためのドレンパン（105,106,107）が設置される。
【００２４】
ファン（95,96）を駆動すると、被処理空気がケーシング（10）内に取り込まれる。ケーシング（10）内において、被処理空気は、吸着素子（81,82）を通過する際に除湿され、又は加湿される。第１空間（41）へ流入した調湿後の被処理空気は、第１の熱源用熱交換器（103）を通過後に室外へ排出される。一方、第２空間（42）へ流入した調湿後の被処理空気は、第２の熱源用熱交換器（104）を通過後に室内へ供給される。
【００２５】
また、冷媒回路では、冷凍サイクルが行われる。その際、加熱用熱交換器（102）は凝縮器となる。また、第１及び第２の熱源用熱交換器（103,104）は、少なくとも一方が蒸発器となる。加熱用熱交換器（102）では、冷媒が被処理空気へ放熱して凝縮する。第１及び第２の熱源用熱交換器（103,104）のうち蒸発器となっている方では、冷媒が被処理空気から吸熱して蒸発する。第１及び第２の熱源用熱交換器（103,104）で生じたドレン水は、ドレンパン（105,106,107）に受けられ、その後に排水手段（1）によってケーシング（10）の外部へ排出される。
【００２６】
上記第２の発明において、第１空間（41）では、被処理空気が第１の熱源用熱交換器（103）を通過後に第１のファン（95）へ吸い込まれる。一方、第２空間（42）では、被処理空気が第２の熱源用熱交換器（104）を通過後に第２のファン（96）へ吸い込まれる。つまり、第１空間（41）及び第２空間（42）では、熱源用熱交換器（103,104）がファン（95,96）の吸込側に配置される。このため、下流側空間（91）のうち熱源用熱交換器（103,104）及びドレンパン（105,106,107）が設置される部分の圧力は、ファン（95,96）の吸込圧力と概ね等しくなっている。つまり、下流側空間（91）におけるドレンパン（105,106,107）の周囲の気圧は、ケーシング（10）外部の大気圧よりも低くなっている。
【００２７】
この発明では、排水手段（1）がドレンポンプ（120,121,122）と排水管（130,131,132）とを備えている。上述のように、下流側空間（91）におけるドレンパン（105,106,107）の周囲の気圧は、ケーシング（10）外部の大気圧よりも低くなっている。このため、排水管（130,131,132）によってドレンパン（105,106,107）をケーシング（10）の外部と連通させると、ドレンパン（105,106,107）に溜まったドレン水がドレンポンプ（120,121,122）によって吸い上げられ、排水管（130,131,132）を通ってケーシング（10）の外部へ排出されてゆく。
【００２８】
上記第３の発明において、第１空間（41）では、被処理空気が第１のファン（95）を通過後に第１の熱源用熱交換器（103）へ流入する。一方、第２空間（42）では、被処理空気が第２のファン（96）を通過後に第２の熱源用熱交換器（104）へ流入する。つまり、第１空間（41）及び第２空間（42）では、熱源用熱交換器（103,104）がファン（95,96）の吹出側に配置される。このため、下流側空間（91）のうち熱源用熱交換器（103,104）及びドレンパン（105,106,107）が設置される部分の圧力は、ファン（95,96）の吹出圧力と概ね等しくなっている。つまり、下流側空間（91）におけるドレンパン（105,106,107）の周囲の気圧は、ケーシング（10）外部の大気圧よりも高くなっている。
【００２９】
この発明では、排水手段（1）が排水管（130,131,132）を備えている。上述のように、下流側空間（91）におけるドレンパン（105,106,107）の周囲の気圧は、ケーシング（10）外部の大気圧よりも高くなっている。このため、排水管（130,131,132）によってドレンパン（105,106,107）をケーシング（10）の外部と連通させると、ドレンパン（105,106,107）に溜まったドレン水は、排水管（130,131,132）を通ってケーシング（10）の外部へ排出されてゆく。
【００３０】
上記第４の発明では、ドレンパン（106,107）が第１の熱源用熱交換器（103）の下方と第２の熱源用熱交換器（104）の下方とに１つずつ設けられる。これらドレンパン（106,107）に溜まったドレン水は、排水手段（1）によって、ドレンパン（106,107）ごとにケーシング（10）の外部へ排出される。
【００３１】
上記第５の発明では、第１のドレンパン（106）が第１の熱源用熱交換器（103）の下方に設けられ、第２のドレンパン（107）が第２の熱源用熱交換器（104）の下方に設けられる。第１及び第２のドレンパン（106,107）の間には、第３のドレンパン（108）が設けられる。第１及び第２のドレンパン（106,107）に溜まったドレン水は、第３のドレンパン（108）へ流入する。第３のドレンパン（108）に溜まったドレン水は、排水手段（1）によって、ケーシング（10）の外部へ排出される。
【００３２】
上記第６の発明では、下流側空間（91）にドレンパン（105）が１つだけ設けられる。このドレンパン（105）には、第１及び第２の熱源用熱交換器（103,104）のそれぞれで生じたドレン水が流入する。ドレンパン（105）に溜まったドレン水は、排水手段（1）によって、ケーシング（10）の外部へ排出される。
【００３３】
上記第７の発明では、ドレンパン（105）に溜まったドレン水がドレン集合部（109）に集められる。一方、第１空間（41）を区画するための仕切板（73）には、連通口（76）が設けられる。熱源用熱交換器（103,104）で生じたドレン水は、ドレンパン（105）へと落下し、この連通口（76）を通ってドレン集合部（109）に集められる。ドレン集合部（109）に集まったドレン水は、排水手段（1）によって、ケーシング（10）の外部へ排出される。
【００３４】
上記第８の発明では、ドレンパン（105）のドレン集合部（109）が、第１空間（41）の外部に設けられる。第１の熱源用熱交換器（103）で生じたドレン水は、仕切板（73）の連通口（76）を通って第１空間（41）の外部へ流出し、ドレン集合部（109）に集められる。ドレン集合部（109）に集まったドレン水は、排水手段（1）によって、ケーシング（10）の外部へ排出される。
【００３５】
上記第９の発明では、ドレンパン（105）のドレン集合部（109）が、第２空間（42）に設けられる。第１の熱源用熱交換器（103）で生じたドレン水は、仕切板（73）の連通口（76）を通って第２空間（42）へ流入し、ドレン集合部（109）に集められる。ドレン集合部（109）に集まったドレン水は、排水手段（1）によって、ケーシング（10）の外部へ排出される。
【００３６】
上記第１０の発明では、下流側空間（91）に圧縮機室（43）が形成される。つまり、下流側空間（91）には、第１空間（41）と第２空間（42）と圧縮機室（43）とが形成される。この圧縮機室（43）には、冷媒回路の圧縮機（101）が収納される。また、ドレンパン（105）のドレン集合部（109）は、圧縮機室（43）に設けられる。熱源用熱交換器（103,104）で生じたドレン水は、ドレンパン（105）へと落下した後に圧縮機室（43）へ流入し、ドレン集合部（109）に集められる。ドレン集合部（109）に集まったドレン水は、排水手段（1）によって、ケーシング（10）の外部へ排出される。
【００３７】
上記第１１の発明では、第１空間（41）を区画するための仕切板（73）に、流通制限機構（77）が設けられる。この流通制限機構（77）によって、連通口（76）を通じた第１空間（41）への空気の出入りが抑制される。
【００３８】
上記第１２の発明では、下流側空間（91）にドレンパン（105）が１つだけ設けられる。このドレンパン（105）には、第１及び第２の熱源用熱交換器（103,104）のそれぞれで生じたドレン水が流入する。一方、第１空間（41）を区画する仕切板（73）には、連通口（76）及び流通制限機構（77）が設けられる。連通口（76）及び流通制限機構（77）は、ドレンポンプ（120）の吸込口よりも高い位置に設けられる。この流通制限機構（77）によって、連通口（76）を通じた第１空間（41）への空気の出入りが抑制される。また、熱源用熱交換器（103,104）で生じたドレン水は、ドレンパン（105）へと落下し、連通口（76）を通ってドレン集合部（109）に集められる。ドレン集合部（109）に集まったドレン水は、排水手段（1）によって、ケーシング（10）の外部へ排出される。
【００３９】
上記第１３の発明では、第１及び第２のファン（95,96）が一時的に停止される。ここで、装置の設置状態によっては、第１及び第２のファン（95,96）の運転中において、第１空間（41）の圧力が下流側空間（91）における第１空間（41）の外部の圧力よりも低下することがある。この場合、ドレン集合部（109）が第１空間（41）の外部に設けられていると、圧力の低い第１空間（41）に溜まったドレン水を圧力の高いドレン集合部（109）へ導くことが困難となる。そこで、このような場合には、第１及び第２のファン（95,96）を一時的に停止させて、下流側空間（91）における第１空間（41）の内外の圧力を均一化する。すると、第１空間（41）に溜まったドレン水は、仕切板（73）の連通口（76）を通って第１空間（41）の外部へ流出し、ドレン集合部（109）に集められる。
【００４０】
また、装置の設置状態によっては、第１及び第２のファン（95,96）の運転中において、下流側空間（91）における第１空間（41）の外部の圧力が第１空間（41）の圧力よりも低下することがある。この場合、ドレン集合部（109）が第１空間（41）に設けられていると、圧力の低い第１空間（41）の外部に溜まったドレン水を圧力の高いドレン集合部（109）へ導くことが困難となる。そこで、このような場合には、第１及び第２のファン（95,96）を一時的に停止させて、下流側空間（91）における第１空間（41）の内外の圧力を均一化する。すると、第１空間（41）の外部に溜まったドレン水は、仕切板（73）の連通口（76）を通って第１空間（41）へ流出し、ドレン集合部（109）に集められる。
【００４１】
上記第１４の発明では、下流側空間（91）にドレンパン（105）が１つだけ設けられる。このドレンパン（105）には、第１及び第２の熱源用熱交換器（103,104）のそれぞれで生じたドレン水が流入する。一方、第１空間（41）を区画する仕切板（73）には、連通口（76）が設けられる。第１の熱源用熱交換器（103）で生じたドレン水は、仕切板（73）の連通口（76）を通って第１空間（41）の外部へ流出し、ドレン集合部（109）に集められる。ドレン集合部（109）に集まったドレン水は、排水手段（1）によって、ケーシング（10）の外部へ排出される。
【００４２】
また、この発明では、第１のファン（95）が一時的に停止される。ここで、装置の設置状態によっては、第１及び第２のファン（95,96）の運転中において、第１空間（41）の圧力が下流側空間（91）における第１空間（41）の外部の圧力よりも低下することがある。この場合、圧力の低い第１空間（41）に溜まったドレン水を圧力の高いドレン集合部（109）へ導くことが困難となる。一方、下流側空間（91）におけるドレンパン（105）の周囲の気圧は、ケーシング（10）外部の大気圧よりも低くなっている。そこで、このような場合には、第１のファン（95）を一時的に停止させて第１空間（41）の圧力を大気圧と概ね等しい状態とし、第１空間（41）の圧力を第１空間（41）の外部の圧力よりも高くする。すると、第１空間（41）に溜まったドレン水は、仕切板（73）の連通口（76）を通って第１空間（41）の外部へ流出し、ドレン集合部（109）に集められる。
【００４３】
上記第１５の発明では、下流側空間（91）にドレンパン（105）が１つだけ設けられる。このドレンパン（105）には、第１及び第２の熱源用熱交換器（103,104）のそれぞれで生じたドレン水が流入する。一方、第１空間（41）を区画する仕切板（73）には、連通口（76）が設けられる。第１の熱源用熱交換器（103）で生じたドレン水は、仕切板（73）の連通口（76）を通って第１空間（41）の外部へ流出し、ドレン集合部（109）に集められる。ドレン集合部（109）に集まったドレン水は、排水手段（1）によって、ケーシング（10）の外部へ排出される。
【００４４】
また、この発明では、第２のファン（96）が一時的に停止される。ここで、装置の設置状態によっては、第１及び第２のファン（95,96）の運転中において、第１空間（41）の圧力が下流側空間（91）における第１空間（41）の外部の圧力よりも低下することがある。この場合、圧力の低い第１空間（41）に溜まったドレン水を圧力の高いドレン集合部（109）へ導くことが困難となる。一方、下流側空間（91）におけるドレンパン（105）の周囲の気圧は、ケーシング（10）外部の大気圧よりも高くなっている。そこで、このような場合には、第２のファン（96）を一時的に停止させて第１空間（41）の外部の圧力を第１空間（41）の圧力よりも低くする。すると、第１空間（41）に溜まったドレン水は、仕切板（73）の連通口（76）を通って第１空間（41）の外部へ流出し、ドレン集合部（109）に集められる。
【発明の効果】
【００４５】
本発明では、第１及び第２の熱源用熱交換器（103,104）の両方をケーシング（10）内の下流側空間（91）に設置し、これら熱源用熱交換器（103,104）の下方に設置されたドレンパン（105,106,107）から排水手段（1）がドレン水を排出している。
【００４６】
ここで、従来には、熱源用熱交換器（103,104）である冷却熱交換器がケーシング（10）内の両側に設けられており、各冷却熱交換器の下方にドレンパン及び排水管を１つずつ設ける必要があった。このため、調湿装置の据え付け作業が煩雑化すると共に、調湿装置を設置する際の制約が大きくなるという問題があった。
【００４７】
しかしながら、本発明では、ケーシング（10）の片側にドレンパン（105,106,107）を配置しているため、調湿装置を据え付ける際において、調湿装置の排水管（130,131,132）にドレンホースを接続するといった作業をケーシング（10）の片側で行うことができる。また、そのための作業スペースをケーシング（10）の片側のみに確保すればよい。従って、本発明によれば、調湿装置を据え付ける際の作業工数を削減でき、調湿装置の設置自由度を高めることができる。
【００４８】
上記第２の発明によれば、第１及び第２の熱源用熱交換器（103,104）の下流側に第１及び第２のファン（95,96）を設置しており、ドレンパン（105,106,107）に溜まったドレン水をドレンポンプ（120,121,122）を用いて確実に排水することができる。
【００４９】
上記第３の発明では、第１及び第２の熱源用熱交換器（103,104）の上流側に第１及び第２のファン（95,96）を設置し、ドレンパン（105,106,107）付近が陽圧となることを利用してドレン水を排水管（130,131,132）を通じてケーシング（10）の外部へ排出している。このため、ドレンポンプ（120,121,122）を設ける必要がなくなり、排水手段（1）の構成を簡素化できる。
【００５０】
上記第５の発明では、第１及び第２のドレンパン（106,107）のドレン水を第３のドレンパン（108）へ集め、第３のドレンパン（108）から排水手段（1）がドレン水を排出している。このため、ドレンパン（106,107）ごとに排水管（131,132）等を設ける必要がなくなり、排水手段（1）の構成を簡素化できる。
【００５１】
上記第６の発明では、１つのドレンパン（105）によって第１及び第２の熱源用熱交換器（103,104）で生じたドレン水を受けるようにしている。このため、熱源用熱交換器（103,104）ごとにドレンパン（106,107）を設ける必要がなくなり、調湿装置の部品点数を削減することができる。
【００５２】
上記第７の発明では、ドレンパン（105）のドレン水を連通口（76）を通じてドレン集合部（109）へ集め、このドレン集合部（109）から排水手段（1）がドレン水を排出している。このため、排水管（131,132）等を複数設ける必要がなくなり、排水手段（1）の構成を簡素化できる。
【００５３】
上記第８の発明では、ドレン集合部（109）が第１空間（41）の外部に設けられる。特に、冬期に第１の熱源用熱交換器（103）が蒸発器となる運転を行う際には、第１の熱源用熱交換器（103）での冷媒蒸発温度の低下に伴って第１の熱源用熱交換器（103）を通過後の空気の温度が零度以下まで低下する場合がある。このような場合には、第１の熱源用熱交換器（103）を通過後の空気が流れる第１空間（41）の温度も低下し、ドレンパン（105）の第１空間（41）側に溜まったドレン水が凍結する恐れを生じる。
【００５４】
これに対し、この発明では、第１の熱源用熱交換器（103）を通過後の空気が流れていない第１空間（41）の外部にドレン集合部（109）を設け、このドレン集合部（109）からドレン水を排出している。従って、ドレン集合部（109）におけるドレン水の凍結を防止でき、ドレン水を確実にケーシング（10）の外部へ排出することができる。
【００５５】
上記第９の発明では、ドレン集合部（109）が第２空間（42）に設けられる。第２空間（42）は室内と連通しており、この第２空間（42）を室内へ供給される空気が通過する。このため、第２空間（42）の温度が零度以下になることはない。従って、ドレン集合部（109）におけるドレン水の凍結を防止でき、ドレン水を確実にケーシング（10）の外部へ排出することができる。
【００５６】
上記第１０の発明では、ドレン集合部（109）が圧縮機室（43）に設けられる。圧縮機室（43）内は、圧縮機（101）から発生する熱により温度が高くなっている。このため、ドレン集合部（109）におけるドレン水の凍結を防止でき、ドレン水を確実にケーシング（10）の外部へ排出することができる。
【００５７】
上記第１１の発明では、仕切板（73）に流通制限機構（77）を設けることにより、連通口（76）を通じた第１空間（41）への空気の出入りを抑制することができる。具体的に、第１空間（41）へ空気が流入して給気が排気に混入したり、第１空間（41）から空気が流出して排気が給気に混入するといった空気の漏れを防止することができる。従って、本発明によれば、調湿装置の性能を向上させることができる。
【００５８】
上記第１２の発明では、流通制限機構（77）がドレンポンプ（120）の吸込口よりも高い位置に設けられる。このため、第１空間（41）と第２空間（42）との間にある程度の圧力差が生じた場合においても、ドレンパン（105）に溜まったドレン水は、流通制限機構（77）の高さに達することなく確実にドレンポンプ（120）に吸い込まれる。従って、本発明によれば、ケーシング（10）内の圧力が不安定な場合においても、ドレン水を確実にケーシング（10）の外部へ排出することができる。
【００５９】
上記第１３の発明では、第１のファン（95）及び第２のファン（96）を一時的に停止させる動作を行うと、下流側空間（91）における第１空間（41）の内外の圧力が均一化される。従って、この動作を行うことにより、第１空間（41）の圧力が第１空間（41）の外部の圧力よりも低下するような状態で調湿装置が設置された場合であっても、ドレン水を確実にドレン集合部（109）へ導くことができる。また、第１空間（41）の外部の圧力が第１空間（41）の圧力よりも低下するような状態で調湿装置が設置された場合であっても、ドレン水を確実にドレン集合部（109）へ導くことができる。
【００６０】
上記第１４の発明では、第１のファン（95）を一時的に停止させる動作を行うと、第１空間（41）の圧力が上がり、第１空間（41）の圧力が下流側空間（91）における第１空間（41）の外部の圧力よりも高くなる。従って、この動作を行うことにより、第１空間（41）の圧力が第１空間（41）の外部の圧力よりも低下するような状態で調湿装置が設置された場合であっても、第１空間（41）に溜まったドレン水を確実にドレン集合部（109）へ導くことができる。
【００６１】
上記第１５の発明では、第２のファン（96）を一時的に停止させる動作を行うと、第１空間（41）の圧力が下流側空間（91）における第１空間（41）の外部の圧力よりも高くなる。従って、この動作を行うことにより、第１空間（41）の圧力が第１空間（41）の外部の圧力よりも低下するような状態で調湿装置が設置された場合であっても、第１空間（41）に溜まったドレン水を確実にドレン集合部（109）へ導くことができる。
【発明を実施するための最良の形態】
【００６２】
以下、本発明の実施形態を図面に基づいて詳細に説明する。
【００６３】
《発明の実施形態１》
本実施形態に係る調湿装置は、減湿された空気を室内へ供給する除湿運転と、加湿された空気を室内へ供給する加湿運転とを切り換えて行うように構成されている。また、この調湿装置は、冷媒回路と２つの吸着素子（81,82）とを備え、いわゆるバッチ式の動作を行うように構成されている。ここでは、本実施形態に係る調湿装置の構成について、図１，図６及び図７を参照しながら説明する。尚、本実施形態１の説明において、「上」「下」「左」「右」「前」「後」「手前」「奥」は、特にことわらない限り、図１に示す調湿装置を正面側から見た場合のものを意味している。
【００６４】
図１に示すように、上記調湿装置は、高さの低い扁平な直方体状のケーシング（10）を備えている。このケーシング（10）には、２つの吸着素子（81,82）と冷媒回路とが収納されている。尚、図１において、（A）は左側面図、（B）は平面図、（C）は右側面図を示す。また、この点は、図２〜４，図１２においても同様である。
【００６５】
上記冷媒回路には、加熱用熱交換器（102）、第１熱源用熱交換器（103）、第２熱源用熱交換器（104）、圧縮機（101）及び膨張弁が設けられている。尚、図１では、加熱用熱交換器（102）、第１熱源用熱交換器（103）、第２熱源用熱交換器（104）及び圧縮機（101）だけを図示している。この冷媒回路では、充填された冷媒を循環させることによって冷凍サイクルが行われる。また、本実施形態の調湿装置では、第１熱源用熱交換器（103）が蒸発器となる動作と、第２熱源用熱交換器（104）が蒸発器となる動作とが切り換えて行われる。
【００６６】
図６に示すように、上記吸着素子（81,82）は、平板状の平板部材（83）と波形状の波板部材（84）とを交互に積層して構成されている。波板部材（84）は、隣接する波板部材（84）の稜線方向が互いに９０度ずれる姿勢で積層されている。そして、吸着素子（81,82）は、全体として直方体状ないし四角柱状に形成されている。
【００６７】
上記吸着素子（81,82）には、平板部材（83）及び波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。
【００６８】
上記吸着素子（81,82）において、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００６９】
図１に示すように、上記ケーシング（10）において、最も手前側には第１パネル（11）が設けられ、最も奥側には第２パネル（12）が設けられている。これら第１，第２パネル（11,12）は、ケーシング（10）の手前側及び奥側の側面を構成している。また、ケーシング（10）において、第１パネル（11）及び第２パネル（12）の端部には、第１パネル（11）及び第２パネル（12）と直交するように、ケーシング（10）の右側面部（71）と左側面部（72）とが設けられている。
【００７０】
上記第１パネル（11）には、その右寄りの下部に排気口（14）が形成され、その左寄りの上部に給気口（16）が形成されている。一方、上記第２パネル（12）には、その右端寄りの下部に室外側吸込口（13）が形成され、その左端寄りの下部に室内側吸込口（15）が形成されている。
【００７１】
ケーシング（10）の内部は、第１パネル（11）側に形成された下流側空間（91）と第２パネル（12）側に形成された上流側空間（92）とに区画されている。
【００７２】
ケーシング（10）の第１パネル（11）側に形成された下流側空間（91）は、仕切板（73）によって左右に２つの空間に区画されている。この２つの空間のうち、仕切板（73）より右側の空間が第１空間（41）を構成し、仕切板（73）より左側の空間が第２空間（42）を構成している。
【００７３】
上記下流側空間（91）のうち第１空間（41）は、排気口（14）を介して室外に連通している。この第１空間（41）内には、左側から順に、第１のファンである排気ファン（95）と第１熱源用熱交換器（103）とが設置されている。第１熱源用熱交換器（103）は、排気ファン（95）の吸込側に設けられている。排気ファン（95）は、その吹出側が第１パネル（11）の排気口（14）に接続されている。
【００７４】
上記第１熱源用熱交換器（103）は、厚みの薄い直方体状に形成されたフィン・アンド・チューブ型熱交換器であって、排気ファン（14）へ向けて第１空間（41）を流れる空気と冷媒回路の冷媒とを熱交換させるように構成されている。
【００７５】
上記下流側空間（91）のうち第２空間（42）は、給気口（16）を介して室外に連通している。この第２空間（42）内には、右側から順に、冷媒回路の圧縮機（101）と第２のファンである給気ファン（96）と第２熱源用熱交換器（104）とが設置されている。第２熱源用熱交換器（104）は、給気ファン（96）の吸込側に設けられている。給気ファン（96）は、その吹出側が第１パネル（11）の給気口（16）に接続されている。
【００７６】
上記第２熱源用熱交換器（104）は、厚みの薄い直方体状に形成されたフィン・アンド・チューブ型熱交換器であって、給気ファン（16）へ向けて第２空間（42）を流れる空気と冷媒回路の冷媒とを熱交換させるように構成されている。
【００７７】
図７に示すように、上記第１熱源用熱交換器（103）及び第２熱源用熱交換器（104）の下方には、これら熱源用熱交換器（103,104）で生じたドレン水を受けるためのドレンパン（105）が１つだけ設けられている。ドレンパン（105）には、周囲より窪んだ部分であるドレン集合部（109）が形成されている。このドレン集合部（109）は、仕切板（73）より左側の第２空間（42）に設けられている。また、ドレンパン（105）の底部は、ドレン集合部（109）へ向かって傾斜している。熱源用熱交換器（103,104）からドレンパン（105）へ落下したドレン水は、このドレン集合部（109）に集められた後、後述する排水手段（1）によって、ケーシング（10）の外部へ排出される。
【００７８】
上記ドレンパン（105）には、ドレン水の水位を検知するために第１空間（41）側に第１フロートスイッチ（110）が、第２空間（42）側に第２フロートスイッチ（111）がそれぞれ取り付けられている。この第１，第２フロートスイッチ（110,111）のうち何れか一方が作動すると、圧縮機（101）と排気ファン（95）と給気ファン（96）とが停止され、ドレンパン（105）に溜まったドレン水がケーシング（10）の外部へ排出される。
【００７９】
上記仕切板（73）には、第１熱源用熱交換器（103）で生じたドレン水を第２空間（42）のドレン集合部（109）へ導くための連通口（76）が設けられている。また、仕切板（73）には、上記連通口（76）を通じての第１空間（41）と第２空間（42）の間での空気流通を抑制する流通制限機構としての逆止弁（77）が取り付けられている。逆止弁（77）は、長方形状の銅板により構成され、その一方の長辺を軸に回動自在となっている。また、この逆止弁（77）は、第１空間（41）側から第２空間（42）側へ動くように構成されている。
【００８０】
そして、第１空間（41）のドレンパン（105）に溜まったドレン水の水位が逆止弁（77）の高さを越えると逆止弁（77）に水圧がかかる。ドレン水の水位が更に高くなり逆止弁（77）にかかる水圧がある程度以上になると、逆止弁（77）が押されて第２空間（42）側へ動き、第１空間（41）のドレン水が第２空間（42）へ流入するようになっている。
【００８１】
上述の通り、第１，第２熱源用熱交換器（103,104）は、排気ファン（95）及び給気ファン（96）の吸込側に設けられている。このため、第１空間（41）及び第２空間（42）のうち第１，第２熱源用熱交換器（103,104）及びドレンパン（105）が設置される部分の圧力は、排気ファン（95）及び給気ファン（96）の吸込圧力と概ね等しくなっている。つまり、第１空間（41）及び第２空間（42）におけるドレンパン（105）の周囲の気圧は、ケーシング（10）外部の大気圧よりも低くなっている。
【００８２】
一方、調湿装置の排水手段（1）は、ドレンパン（105）のドレン集合部（109）に集まったドレン水を吸い上げるためのドレンポンプ（120）と、該ドレンポンプ（120）に接続されてドレン水をケーシング（10）の外部へ排出する排水管（130）とを備えている。このドレンポンプ（120）は、仕切板（73）よりも左側、即ち第２空間（42）に設けられている。ドレンポンプ（120）の吸込口は、仕切板（73）における逆止弁（77）の取り付け位置よりも低い位置に設けられている。そして、ドレン集合部（109）に集まったドレン水は、ドレンポンプ（120）によって吸い上げられ、排水管（130）を通じてケーシング（10）の外部へ排出される。
【００８３】
ケーシング（10）の第２パネル（12）側に形成された上流側空間（92）は、ケーシング（10）の右側面部（71）及び左側面部（72）と平行に設けられる右側仕切板（20）と左側仕切板（30）とによって、左右に３つの空間に区画されている。
【００８４】
右側仕切板（20）の右側の右側面部（71）に沿う空間は、上下に仕切られている。そして、この空間は、上側の空間が右上部流路（65）を構成し、下側の空間が右下部流路（66）を構成している。右上部流路（65）は、第１空間（41）と連通する。右下部流路（66）は、室外側吸込口（13）と連通する一方、第１空間（41）から仕切られている。
【００８５】
左側仕切板（30）の左側の左側面部（72）に沿う空間は、上下に仕切られている。そして、この空間は、上側の空間が左上部流路（67）を構成し、下側の空間が左下部流路（68）を構成している。左上部流路（67）は、第２空間（42）と連通する。左下部流路（68）は、室内側吸込口（15）と連通する一方、第２空間（42）から仕切られている。
【００８６】
右側仕切板（20）と左側仕切板（30）の間の空間には、２つの吸着素子（81,82）が設置されている。これら吸着素子（81,82）は、所定の間隔をおいて前後に並んだ状態に配置されている。具体的には、手前側の第１パネル（11）寄りに第１吸着素子（81）が設けられ、奥側の第２パネル（12）寄りに第２吸着素子（82）が設けられている。
【００８７】
第１，第２吸着素子（81,82）は、それぞれにおける平板部材（83）及び波板部材（84）の積層方向がケーシング（10）の左右方向と一致する姿勢で設置されている。この姿勢の各吸着素子（81,82）では、その上下の側面に調湿側通路（85）が開口し、その前後の側面に冷却側通路（86）が開口する一方、その左右の端面には何れの通路（85,86）も開口していない。
【００８８】
右側仕切板（20）と左側仕切板（30）の間の空間は、第１流路（51）、第２流路（52）、第１上部流路（53）、第１下部流路（54）、第２上部流路（55）、第２下部流路（56）及び中央流路（57）に区画されている。
【００８９】
第１流路（51）は、第１吸着素子（81）の手前側に形成され、第１吸着素子（81）の冷却側通路（86）に連通している。第２流路（52）は、第２吸着素子（82）の奥側に形成され、第２吸着素子（82）の冷却側通路（86）に連通している。
【００９０】
第１上部流路（53）は、第１吸着素子（81）の上側に形成され、第１吸着素子（81）の調湿側通路（85）に連通している。第１下部流路（54）は、第１吸着素子（81）の下側に形成され、第１吸着素子（81）の調湿側通路（85）に連通している。第２上部流路（55）は、第２吸着素子（82）の上側に形成され、第２吸着素子（82）の調湿側通路（85）に連通している。第２下部流路（56）は、第２吸着素子（82）の下側に形成され、第２吸着素子（82）の調湿側通路（85）に連通している。
【００９１】
中央流路（57）は、第１吸着素子（81）と第２吸着素子（82）の間に形成され、両吸着素子（81,82）の冷却側通路（86）に連通している。この中央流路（57）には、加熱用熱交換器（102）がほぼ垂直に立った状態で設置されている。この加熱用熱交換器（102）は、中央流路（57）を流れる空気を冷媒回路の冷媒と熱交換させる。そして、加熱用熱交換器（102）は、凝縮器として機能し、空気を加熱するための加熱器を構成している。
【００９２】
中央流路（57）と第１下部流路（54）の間の仕切りには、第１シャッタ（61）が設けられている。一方、中央流路（57）と第２下部流路（56）の間の仕切りには、第２シャッタ（62）が設けられている。第１シャッタ（61）と第２シャッタ（62）とは、何れもが開閉自在に構成されている。
【００９３】
右側仕切板（20）には、第１右側開口（21）、第２右側開口（22）、第１右上開口（23）、第１右下開口（24）、第２右上開口（25）、及び第２右下開口（26）が形成されている。これらの開口（21,22,…）は、それぞれが開閉シャッタを備えて開閉自在に構成されている。
【００９４】
第１右側開口（21）は、右側仕切板（20）における手前側の下部に設けられている。第１右側開口（21）の開閉シャッタが開いた状態では、第１流路（51）と右下部流路（66）が互いに連通する。第２右側開口（22）は、右側仕切板（20）における奥側の下部に設けられている。第２右側開口（22）の開閉シャッタが開いた状態では、第２流路（52）と右下部流路（66）が互いに連通する。
【００９５】
第１右上開口（23）は、右側仕切板（20）のうち第１吸着素子（81）に隣接する部分の上部に設けられている。第１右上開口（23）の開閉シャッタが開いた状態では、第１上部流路（53）と右上部流路（65）が互いに連通する。第１右下開口（24）は、右側仕切板（20）のうち第１吸着素子（81）に隣接する部分の下部に設けられている。第１右下開口（24）の開閉シャッタが開いた状態では、第１下部流路（54）と右下部流路（66）が互いに連通する。
【００９６】
第２右上開口（25）は、右側仕切板（20）のうち第２吸着素子（82）に隣接する部分の上部に設けられている。第２右上開口（25）の開閉シャッタが開いた状態では、第２上部流路（55）と右上部流路（65）が互いに連通する。第２右下開口（26）は、右側仕切板（20）のうち第２吸着素子（82）に隣接する部分の下部に設けられている。第２右下開口（26）の開閉シャッタが開いた状態では、第２下部流路（56）と右下部流路（66）が互いに連通する。
【００９７】
左側仕切板（30）には、第１左側開口（31）、第２左側開口（32）、第１左上開口（33）、第１左下開口（34）、第２左上開口（35）、及び第２左下開口（36）が形成されている。これらの開口（31,32,…）は、それぞれが開閉シャッタを備えて開閉自在に構成されている。
【００９８】
第１左側開口（31）は、左側仕切板（30）における手前側の下部に設けられている。第１左側開口（31）の開閉シャッタが開いた状態では、第１流路（51）と左下部流路（68）が互いに連通する。第２左側開口（32）は、左側仕切板（30）における奥側の下部に設けられている。第２左側開口（32）の開閉シャッタが開いた状態では、第２流路（52）と左下部流路（68）が互いに連通する。
【００９９】
第１左上開口（33）は、左側仕切板（30）のうち第１吸着素子（81）に隣接する部分の上部に設けられている。第１左上開口（33）の開閉シャッタが開いた状態では、第１上部流路（53）と左上部流路（67）が互いに連通する。第１左下開口（34）は、左側仕切板（30）のうち第１吸着素子（81）に隣接する部分の下部に設けられている。第１左下開口（34）の開閉シャッタが開いた状態では、第１下部流路（54）と左下部流路（68）が互いに連通する。
【０１００】
第２左上開口（35）は、左側仕切板（30）のうち第２吸着素子（82）に隣接する部分の上部に設けられている。第２左上開口（35）の開閉シャッタが開いた状態では、第２上部流路（55）と左上部流路（67）が互いに連通する。第２左下開口（36）は、左側仕切板（30）のうち第２吸着素子（82）に隣接する部分の下部に設けられている。第２左下開口（36）の開閉シャッタが開いた状態では、第２下部流路（56）と左下部流路（68）が互いに連通する。
【０１０１】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。更に、調湿装置は、加湿運転時に蒸発器となる第１熱源用熱交換器（103）が着霜すると、その霜を除去する除霜運転を行うように構成されている。
【０１０２】
《除湿運転》
図１，図２に示すように、除湿運転時において、給気ファン（96）を駆動すると、室外空気（OA）が室外側吸込口（13）を通じてケーシング（10）内の右下部流路（66）へ第１空気として取り込まれる。一方、排気ファン（95）を駆動すると、室内空気（RA）が室内側吸込口（15）を通じてケーシング（10）内の左下部流路（68）へ第２空気として取り込まれる。また、除湿運転時において、冷媒回路では、加熱用熱交換器（102）が凝縮器となり、第２熱源用熱交換器（104）が蒸発器となる一方、第１熱源用熱交換器（103）が休止している。
【０１０３】
（第１動作）
除湿運転の第１動作について、図１，図５及び図７を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【０１０４】
図１に示すように、右側仕切板（20）では、第１右下開口（24）と第２右上開口（25）とが連通状態となり、残りの開口（21,22,23,26）が遮断状態となっている。この状態では、第１右下開口（24）によって右下部流路（66）と第１下部流路（54）とが連通され、第２右上開口（25）によって第２上部流路（55）と右上部流路（65）とが連通される。
【０１０５】
左側仕切板（30）では、第１左側開口（31）と第１左上開口（33）とが連通状態となり、残りの開口（32,34,35,36）が遮断状態となっている。この状態では、第１左側開口（31）によって左下部流路（68）と第１流路（51）とが連通され、第１左上開口（33）によって第１上部流路（53）と左上部流路（67）とが連通される。
【０１０６】
第１シャッタ（61）は閉鎖状態となり、第２シャッタ（62）は開口状態となっている。この状態では、中央流路（57）と第２下部流路（56）とが、第２シャッタ（62）を介して連通される。
【０１０７】
第１空気は、右下部流路（66）から第１右下開口（24）を通って第１下部流路（54）へ流入する。一方、第２空気は、左下部流路（68）から第１左側開口（31）を通って第１流路（51）へ流入する。
【０１０８】
図５（a）にも示すように、第１下部流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、第１上部流路（53）へ流入する。
【０１０９】
一方、第１流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央流路（57）へ流入して加熱用熱交換器（102）を通過する。その際、加熱用熱交換器（102）では、第２空気が冷媒との熱交換によって加熱される。その後、第２空気は、中央流路（57）から第２下部流路（56）へ流入する。
【０１１０】
第１吸着素子（81）及び加熱用熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に第２上部流路（55）へ流入する。
【０１１１】
図１に示すように、第１上部流路（53）へ流入した減湿後の第１空気は、第１左上開口（33）を通って左上部流路（67）へ流入し、その後に第２空間（42）へ流入する。この第１空気は、第２空間（42）を流れる間に第２熱源用熱交換器（104）を通過し、冷媒との熱交換によって冷却される。減湿されて冷却された第１空気は、給気ファン（96）に吸い込まれ、その後に給気口（16）を通って室内へ供給される。
【０１１２】
また、図７に示すように、第２熱源用熱交換器（104）で生じたドレン水は、ドレンパン（105）へと落下し、第２空間（42）のドレン集合部（109）に集められる。ドレン集合部（109）に集まったドレン水は、ドレンポンプ（120）によって吸い上げられ、排水管（130）を通じてケーシング（10）の外部へ排出される。
【０１１３】
一方、第２上部流路（55）へ流入した第２空気は、第２右上開口（25）を通って右上部流路（65）へ流入し、その後に第１空間（41）へ流入する。この第２空気は、第１空間（41）を流れる間に第１熱源用熱交換器（103）を通過する。その際、第１熱源用熱交換器（103）は休止しており、第２空気は加熱も冷却もされない。第１吸着素子（81）の冷却と第２吸着素子（82）の再生に利用された第２空気は、排気ファン（95）に吸い込まれ、その後に排気口（14）を通って室外へ排出される。
【０１１４】
（第２動作）
除湿運転の第２動作について、図２，図５及び図７を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【０１１５】
図２に示すように、右側仕切板（20）では、第１右上開口（23）と第２右下開口（26）とが連通状態となり、残りの開口（21,22,24,25）が遮断状態となっている。この状態では、第１右上開口（23）によって第１上部流路（53）と右上部流路（65）とが連通され、第２右下開口（26）によって右下部流路（66）と第２下部流路（56）とが連通される。
【０１１６】
左側仕切板（30）では、第２左側開口（32）と第２左上開口（35）とが連通状態となり、残りの開口（31,33,34,36）が遮断状態となっている。この状態では、第２左側開口（32）によって左下部流路（68）と第２流路（52）とが連通され、第２左上開口（35）によって第２上部流路（55）と左上部流路（67）とが連通される。
【０１１７】
第１シャッタ（61）は開口状態となり、第２シャッタ（62）は閉鎖状態となっている。この状態では、中央流路（57）と第１下部流路（54）とが、第１シャッタ（61）を介して連通される。
【０１１８】
第１空気は、右下部流路（66）から第２右下開口（26）を通って第２下部流路（56）へ流入する。一方、第２空気は、左下部流路（68）から第２左側開口（32）を通って第２流路（52）へ流入する。
【０１１９】
図５（b）にも示すように、第２下部流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、第２上部流路（55）へ流入する。
【０１２０】
一方、第２流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央流路（57）へ流入して加熱用熱交換器（102）を通過する。その際、加熱用熱交換器（102）では、第２空気が冷媒との熱交換によって加熱される。その後、第２空気は、中央流路（57）から第１下部流路（54）へ流入する。
【０１２１】
第２吸着素子（82）及び加熱用熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に第１上部流路（53）へ流入する。
【０１２２】
図２に示すように、第２上部流路（55）へ流入した減湿後の第１空気は、第２左上開口（35）を通って左上部流路（67）へ流入し、その後に第２空間（42）へ流入する。この第１空気は、第２空間（42）を流れる間に第２熱源用熱交換器（104）を通過し、冷媒との熱交換によって冷却される。減湿されて冷却された第１空気は、給気ファン（96）に吸い込まれ、その後に給気口（16）を通って室内へ供給される。
【０１２３】
また、図７に示すように、第２熱源用熱交換器（104）で生じたドレン水は、ドレンパン（105）へと落下し、第２空間（42）のドレン集合部（109）に集められる。ドレン集合部（109）に集まったドレン水は、ドレンポンプ（120）によって吸い上げられ、排水管（130）を通じてケーシング（10）の外部へ排出される。
【０１２４】
一方、第１上部流路（53）へ流入した第２空気は、第１右上開口（23）を通って右上部流路（65）へ流入し、その後に第１空間（41）へ流入する。この第２空気は、第１空間（41）を流れる間に第１熱源用熱交換器（103）を通過する。その際、第１熱源用熱交換器（103）は休止しており、第２空気は加熱も冷却もされない。第１吸着素子（81）の冷却と第２吸着素子（82）の再生に利用された第２空気は、排気ファン（95）に吸い込まれ、その後に排気口（14）を通って室外へ排出される。
【０１２５】
《加湿運転》
図３，図４に示すように、加湿運転時において、給気ファン（96）を駆動すると、室外空気（OA）が室外側吸込口（13）を通じてケーシング（10）内の右下部流路（66）へ第２空気として取り込まれる。一方、排気ファン（95）を駆動すると、室内空気（RA）が室内側吸込口（15）を通じてケーシング（10）内の左下部流路（68）へ第１空気として取り込まれる。また、加湿運転時において、冷媒回路では、加熱用熱交換器（102）が凝縮器となり、第１熱源用熱交換器（103）が蒸発器となる一方、第２熱源用熱交換器（104）が休止している。
【０１２６】
（第１動作）
加湿運転の第１動作について、図３，図５及び図７を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【０１２７】
図３に示すように、右側仕切板（20）では、第１右側開口（21）と第１右上開口（23）とが連通状態となり、残りの開口（22,24,25,26）が遮断状態となっている。この状態では、第１右側開口（21）によって右下部流路（66）と第１流路（51）とが連通され、第１右上開口（23）によって第１上部流路（53）と右上部流路（65）とが連通される。
【０１２８】
左側仕切板（30）では、第１左下開口（34）と第２左上開口（35）とが連通状態となり、残りの開口（31,32,33,36）が遮断状態となっている。この状態では、第１左下開口（34）によって左下部流路（68）と第１下部流路（54）とが連通され、第２左上開口（35）によって第２上部流路（55）と左上部流路（67）とが連通される。
【０１２９】
第１シャッタ（61）は閉鎖状態となり、第２シャッタ（62）は開口状態となっている。この状態では、中央流路（57）と第２下部流路（56）とが、第２シャッタ（62）を介して連通される。
【０１３０】
第１空気は、左下部流路（68）から第１左下開口（34）を通って第１下部流路（54）へ流入する。一方、第２空気は、右下部流路（66）から第１右側開口（21）を通って第１流路（51）へ流入する。
【０１３１】
図５（a）にも示すように、第１下部流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、第１上部流路（53）へ流入する。
【０１３２】
一方、第１流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央流路（57）へ流入して加熱用熱交換器（102）を通過する。その際、加熱用熱交換器（102）では、第２空気が冷媒との熱交換によって加熱される。その後、第２空気は、中央流路（57）から第２下部流路（56）へ流入する。
【０１３３】
第１吸着素子（81）及び加熱用熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に第２上部流路（55）へ流入する。
【０１３４】
図３に示すように、第２上部流路（55）へ流入した第２空気は、第２左上開口（35）を通って左上部流路（67）へ流入し、その後に第２空間（42）へ流入する。この第２空気は、第２空間（42）を流れる間に第２熱源用熱交換器（104）を通過する。その際、第２熱源用熱交換器（104）は休止しており、第２空気は加熱も冷却もされない。そして、加湿された第２空気は、給気ファン（96）に吸い込まれ、その後に給気口（16）を通って室内へ供給される。
【０１３５】
一方、第１上部流路（53）へ流入した第１空気は、第１右上開口（23）を通って右上部流路（65）へ流入し、その後に第１空間（41）へ流入する。この第１空気は、第１空間（41）を流れる間に第１熱源用熱交換器（103）を通過し、冷媒との熱交換によって冷却される。水分と熱を奪われた第１空気は、排気ファン（95）に吸い込まれ、その後に排気口（14）を通って室外へ排出される。
【０１３６】
また、図７に示すように、第１熱源用熱交換器（103）で生じたドレン水は、ドレンパン（105）へと落下し、仕切板（73）の連通口（76）を通って第２空間（42）のドレン集合部（109）に集められる。ドレン集合部（109）に集まったドレン水は、ドレンポンプ（120）によって吸い上げられ、排水管（130）を通じてケーシング（10）の外部へ排出される。
【０１３７】
（第２動作）
加湿運転の第２動作について、図４，図５及び図７を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【０１３８】
図４に示すように、右側仕切板（20）では、第２右側開口（22）と第２右上開口（25）とが連通状態となり、残りの開口（21,23,24,26）が遮断状態となっている。この状態では、第２右側開口（22）によって右下部流路（66）と第２流路（52）とが連通され、第２右上開口（25）によって第２上部流路（55）と右上部流路（65）とが連通される。
【０１３９】
左側仕切板（30）では、第１左上開口（33）と第２左下開口（36）とが連通状態となり、残りの開口（31,32,34,35）が遮断状態となっている。この状態では、第１左上開口（33）によって第１上部流路（53）と左上部流路（67）とが連通され、第２左下開口（36）によって左下部流路（68）と第２下部流路（56）とが連通される。
【０１４０】
第１シャッタ（61）は開口状態となり、第２シャッタ（62）は閉鎖状態となっている。この状態では、中央流路（57）と第１下部流路（54）とが、第１シャッタ（61）を介して連通される。
【０１４１】
第１空気は、左下部流路（68）から第２左下開口（36）を通って第２下部流路（56）へ流入する。一方、第２空気は、右下部流路（66）から第２右側開口（22）を通って第２流路（52）へ流入する。
【０１４２】
図５（b）にも示すように、第２下部流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、第２上部流路（55）へ流入する。
【０１４３】
一方、第２流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央流路（57）へ流入して加熱用熱交換器（102）を通過する。その際、加熱用熱交換器（102）では、第２空気が冷媒との熱交換によって加熱される。その後、第２空気は、中央流路（57）から第１下部流路（54）へ流入する。
【０１４４】
第２吸着素子（82）及び加熱用熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に第１上部流路（53）へ流入する。
【０１４５】
図４に示すように、第１上部流路（53）へ流入した第２空気は、第１左上開口（33）を通って左上部流路（67）へ流入し、その後に第２空間（42）へ流入する。この第２空気は、第２空間（42）を流れる間に第２熱源用熱交換器（104）を通過する。その際、第２熱源用熱交換器（104）は休止しており、第２空気は加熱も冷却もされない。そして、加湿された第２空気は、給気ファン（96）に吸い込まれ、その通過後に給気口（16）を通って室内へ供給される。
【０１４６】
一方、第２上部流路（55）へ流入した第１空気は、第２右上開口（25）を通って右上部流路（65）へ流入し、その後に第１空間（41）へ流入する。この第１空気は、第１空間（41）を流れる間に第１熱源用熱交換器（103）を通過し、冷媒との熱交換によって冷却される。水分と熱を奪われた第１空気は、排気ファン（95）へ吸い込まれ、その後に排気口（14）を通って室外へ排出される。
【０１４７】
また、図７に示すように、第１熱源用熱交換器（103）で生じたドレン水は、ドレンパン（105）へと落下し、仕切板（73）の連通口（76）を通って第２空間（42）のドレン集合部（109）に集められる。ドレン集合部（109）に集まったドレン水は、ドレンポンプ（120）によって吸い上げられ、排水管（130）を通じてケーシング（10）の外部へ排出される。
【０１４８】
−除霜運転−
本実施形態の調湿装置は、加湿運転時に室外温度が低い場合、蒸発器となる第１熱源用熱交換器（103）に着霜することがあるのに対して、この霜を除去する除霜運転を行うように構成されている。
【０１４９】
具体的に、加湿運転が行われる冬期には、第１吸着素子（81）及び第２吸着素子（82）を再生するための室外空気（OA）である第２空気の温度が低下する。このため、凝縮器となる加熱用熱交換器（102）における第２空気への加熱量が増加する。これに伴い、第１熱源用熱交換器（103）では、冷媒の蒸発温度をより低く設定して第１空気からの熱回収量を増加させなければならなくなる。そして、冷媒の蒸発温度が零度以下にまで低下すると、第１熱源用熱交換器（103）に着霜する。
【０１５０】
第１熱源用熱交換器（103）に着霜すると、冷媒回路の圧縮機（101）が停止される。一方、第１熱源用熱交換器（103）には、第１吸着素子（81）又は第２吸着素子（82）で除湿されて温度の上昇した第１空気が流入する。このため、第１熱源用熱交換器（103）に付着した霜は、第１空気によって温められて水滴となり、ドレンパン（105）へと落下する。
【０１５１】
また、冷媒の蒸発温度が低下すると、第１熱源用熱交換器（103）を通過後の第１空気の温度が低下する。そして、場合によっては、第１熱源用熱交換器（103）を通過後の第１空気の温度が零度以下にまで低下し、第１空間（41）のドレンパン（105）に溜まったドレン水が凍結する恐れを生じる。また、第１熱源用熱交換器（103）の除霜後に間もなく加湿運転を再開すると、第１空間（41）のドレンパン（105）に溜まったドレン水が再び凍結する恐れを生じる。
【０１５２】
一方、第１空間（41）へは第１吸着素子（81）と第２吸着素子（82）と加熱用熱交換器（102）を通過後の第２空気が流入し、第２空間（42）へは第１吸着素子（81）又は第２吸着素子（82）を通過後の第１空気が流入する。つまり、第２空気の方が第１空気よりも第１空間（41）及び第２空間（42）までの流通経路が長い。このため、第２空気の方が第１空気よりも圧力損失が大きい。よって、室外側吸込口（13）に接続されるダクトと室内側吸込口（15）に接続されるダクトの長さが等しい場合には、第２空気が流れる第２空間（42）の方が第１空気が流れる第１空間（41）よりも圧力が低くなる。
【０１５３】
ところが、室外側吸込口（13）に接続されるダクトと室内側吸込口（15）に接続されるダクトの長さが異なる場合には、第２空間（42）の方が第１空間（41）よりも圧力が高くなることがある。そして、この場合には、圧力の低い第１空間（41）に溜まったドレン水を圧力の高い第２空間（42）のドレン集合部（109）へ導くことが困難となる。
【０１５４】
このため、第１熱源用熱交換器（103）の除霜後には、排気ファン（95）及び給気ファン（96）を一時的に停止させる。すると、第１空間（41）と第２空間（42）の圧力が均一化され、第１空間（41）のドレンパン（105）に溜まったドレン水が、仕切板（73）の連通口（76）を通って速やかに第２空間（42）のドレン集合部（109）へと導かれる。つまり、第１空間（41）のドレンパン（105）に溜まったドレン水は、短い時間でドレン集合部（109）へと導かれ、その後に加湿運転が再開される。
【０１５５】
よって、第１空間（41）側のドレンパン（105）に溜まったドレン水が再び凍結することがなく、次回の除霜運転時にこの凍結したドレン水が第１熱源用熱交換器（103）に着いた霜と共に融解して第１空間（41）側のドレンパン（105）に溜まったドレン水がドレンパン（105）から溢れるといった問題を回避することができる。
【０１５６】
尚、第１熱源用熱交換器（103）の除霜後において、排気ファン（95）のみを一時的に停止させてもよい。すると、排気ファン（95）の運転中に大気圧より低くなっていた第１空間（41）の圧力が上昇し、給気ファン（96）の運転中に大気圧より低くなる第２空間（42）との圧力差が拡大する。そして、第１空間（41）のドレンパン（105）に溜まったドレン水は、仕切板（73）の連通口（76）を通って速やかに第２空間（42）のドレン集合部（109）へと導かれる。
【０１５７】
−実施形態１の効果−
本実施形態では、第１，第２熱源用熱交換器（103,104）の両方をケーシング（10）内の下流側空間（91）に設置し、これら熱源用熱交換器（103,104）の下方に設置されたドレンパン（105）から排水手段（1）がドレン水を排出している。
【０１５８】
ここで、従来には、熱源用熱交換器（103,104）である冷却熱交換器がケーシング（10）内の両側に設けられており、各冷却熱交換器の下方にドレンパン及び排水管を１つずつ設ける必要があった。このため、調湿装置の据え付け作業が煩雑化すると共に、調湿装置を設置する際の制約が大きくなるという問題があった。
【０１５９】
しかしながら、本発明では、ケーシング（10）の片側にドレンパン（105）を配置しているため、調湿装置を据え付ける際において、調湿装置の排水管（130）にドレンホースを接続するといった作業をケーシング（10）の片側で行うことができる。また、そのための作業スペースをケーシング（10）の片側のみに確保すればよい。従って、本実施形態によれば、調湿装置を据え付ける際の作業工数を削減でき、調湿装置の設置自由度を高めることができる。
【０１６０】
また、本実施形態によれば、第１，第２熱源用熱交換器（103,104）の下流側に給気及び排気ファン（95,96）を設置しており、ドレンパン（105）に溜まったドレン水をドレンポンプ（120）を用いて確実に排水することができる。
【０１６１】
本実施形態では、ドレン集合部（109）が第２空間（42）に設けられる。特に、冬期に第１熱源用熱交換器（103）が蒸発器となる運転を行う際には、第１熱源用熱交換器（103）での冷媒蒸発温度の低下に伴って第１熱源用熱交換器（103）を通過後の空気の温度が零度以下まで低下する場合がある。このような場合には、第１熱源用熱交換器（103）を通過後の空気が流れる第１空間（41）の温度も低下し、ドレンパン（105）の第１空間（41）側に溜まったドレン水が凍結する恐れを生じる。
【０１６２】
これに対し、本実施形態では、第１熱源用熱交換器（103）を通過後の空気が流れていない第２空間（42）にドレン集合部（109）を設け、このドレン集合部（109）からドレン水を排出している。従って、ドレン集合部（109）におけるドレン水の凍結を防止でき、ドレン水を確実にケーシング（10）の外部へ排出することができる。
【０１６３】
本実施形態では、仕切板（73）に逆止弁（77）を設けることにより、連通口（76）を通じた第１空間（41）と第２空間（42）の間の空気流通を抑制することができる。具体的に、第２空間（42）から第１空間（41）へ空気が流入して給気が排気に混入したり、第１空間（41）から第２空間（42）へ空気が流出して排気が給気に混入するといった空気の漏れを防止することができる。従って、本実施形態によれば、調湿装置の性能を向上させることができる。特に、逆止弁（77）を銅板により構成することにより、ドレン水が逆止弁（77）に接している際に銅イオンが溶出し、この銅イオンが有する除菌作用により、スライム発生を抑止することができる。
【０１６４】
また、本実施形態では、逆止弁（77）がドレンポンプ（120）の吸込口よりも高い位置に設けられる。このため、第１空間（41）と第２空間（42）との間にある程度の圧力差が生じた場合においても、ドレンパン（105）に溜まったドレン水は、逆止弁（77）の高さに達することなく確実にドレンポンプ（120）に吸い込まれる。従って、本実施形態によれば、ケーシング（10）内の圧力が不安定な場合においても、ドレン水を確実にケーシング（10）の外部へ排出することができる。
【０１６５】
更に、本実施形態では、排気ファン（95）及び給気ファン（96）を一時的に停止させる動作を行うと、第１空間（41）と第２空間（42）の圧力が均一化される。従って、この動作を行うことにより、第１空間（41）に溜まったドレン水を確実にドレン集合部（109）へ導くことができる。また、排気ファン（95）を一時的に停止させる動作を行うと、第１空間（41）の圧力が上がり、第１空間（41）の圧力が第２空間（42）の圧力よりも高くなる。従って、この動作を行うことにより、第１空間（41）に溜まったドレン水を確実にドレン集合部（109）へ導くことができる。
【０１６６】
《発明の実施形態２》
本発明の実施形態２は、上記実施形態１において、調湿装置の構成を変更したものである。ここでは、本実施形態について、上記実施形態１と異なる点を説明する。
【０１６７】
図８に示すように、本実施形態の調湿装置では、ケーシング（10）内の下流側空間（91）が、仕切板（73）としての右側仕切板（74）及び左側仕切板（75）によって左右に３つの空間に区画されている。この３つの空間のうち、右側仕切板（74）より右側の空間が第１空間（41）を構成し、左側仕切板（75）より左側の空間が第２空間（42）を構成している。また、右側仕切板（74）と左側仕切板（75）の間の空間は、圧縮機室（43）を構成している。
【０１６８】
上記第１空間（41）には、左側から順に、排気ファン（95）と第１熱源用熱交換器（103）とが設置されている。上記第２空間（42）には、右側から順に、給気ファン（96）と第２熱源用熱交換器（104）とが設置されている。上記圧縮機室（43）には、冷媒回路の圧縮機（101）が設置されている。本実施形態のドレンパン（105）では、ドレン集合部（109）が圧縮機室（43）に設けられている。
【０１６９】
上記右側仕切板（74）及び左側仕切板（75）のそれぞれには、第１，第２熱源用熱交換器（103,104）で生じたドレン水を圧縮機室（43）のドレン集合部（109）へ導くための連通口（76）が設けられている。右側仕切板（74）には、上記連通口（76）を通じての第１空間（41）と圧縮機室（43）の間での空気流通を抑制する右側逆止弁（78）が取り付けられている。左側仕切板（75）には、上記連通口（76）を通じての第２空間（42）と圧縮機室（43）の間での空気流通を抑制する左側逆止弁（79）が取り付けられている。
【０１７０】
右側逆止弁（78）及び左側逆止弁（79）は、実施形態１の逆止弁（77）と同様に、回動自在で長方形状の銅板により構成されている。そして、右側逆止弁（78）及び左側逆止弁（79）は、圧縮機室（43）側へ回動して開くように取り付けられている。
【０１７１】
第１熱源用熱交換器（103）で生じたドレン水は、右側仕切板（74）の連通口（76）を通って圧縮機室（43）のドレン集合部（109）に集められる。第２熱源用熱交換器（104）で生じたドレン水は、左側仕切板（75）の連通口（76）を通って圧縮機室（43）のドレン集合部（109）に集められる。ドレン集合部（109）に集まったドレン水は、ドレンポンプ（120）によって吸い上げられ、排水管（130）を通じてケーシング（10）の外部へ排出される。
【０１７２】
本実施形態では、ドレン集合部（109）が圧縮機室（43）に設けられる。圧縮機室（43）内は、圧縮機（101）から発生する熱により温度が高くなっている。このため、ドレン集合部（109）におけるドレン水の凍結を防止でき、ドレン水を確実にケーシング（10）の外部へ排出することができる。
【０１７３】
《発明の実施形態３》
本発明の実施形態３は、上記実施形態１において、調湿装置の構成を変更したものである。ここでは、本実施形態について、上記実施形態１と異なる点を説明する。
【０１７４】
図９に示すように、本実施形態の調湿装置では、ケーシング（10）内の下流側空間（91）が、仕切板（73）としての右側仕切板（74）及び左側仕切板（75）によって左右に３つの空間に区画されている。この３つの空間のうち、右側仕切板（74）より右側の空間が第１空間（41）を構成し、左側仕切板（75）より左側の空間が第２空間（42）を構成している。また、右側仕切板（74）と左側仕切板（75）の間の空間は、圧縮機室（43）を構成している。
【０１７５】
上記第１空間（41）には、左側から順に、排気ファン（95）と第１熱源用熱交換器（103）とが設置されている。上記第２空間（42）には、右側から順に、給気ファン（96）と第２熱源用熱交換器（104）とが設置されている。上記圧縮機室（43）には、冷媒回路の圧縮機（101）が設置されている。本実施形態のドレンパン（105）では、ドレン集合部（109）が第２空間（42）に設けられている。
【０１７６】
上記右側仕切板（74）及び左側仕切板（75）のそれぞれには、第１熱源用熱交換器（103）で生じたドレン水を第２空間（42）のドレン集合部（109）へ導くための連通口（76）が設けられている。右側仕切板（74）には、上記連通口（76）を通じての第１空間（41）と圧縮機室（43）の間での空気流通を抑制する右側逆止弁（78）が取り付けられている。左側仕切板（75）には、上記連通口（76）を通じての第２空間（42）と圧縮機室（43）の間での空気流通を抑制する左側逆止弁（79）が取り付けられている。
【０１７７】
右側逆止弁（78）及び左側逆止弁（79）は、実施形態１の逆止弁（77）と同様に、回動自在で長方形状の銅板により構成されている。そして、右側逆止弁（78）は圧縮機室（43）側へ回動して開くように取り付けられ、左側逆止弁（79）は第２空間（42）側へ回動して開くように取り付けられている。
【０１７８】
第１熱源用熱交換器（103）で生じたドレン水は、右側仕切板（74）の連通口（76）を通って圧縮機室（43）へ流入し、更に左側仕切板（75）の連通口（76）を通って第２空間（42）のドレン集合部（109）に集められる。第２熱源用熱交換器（104）で生じたドレン水は、第２空間（42）のドレン集合部（109）に集められる。ドレン集合部（109）に集まったドレン水は、ドレンポンプ（120）によって吸い上げられ、排水管（130）を通じてケーシング（10）の外部へ排出される。
【０１７９】
《発明の実施形態４》
本発明の実施形態４は、上記実施形態１の調湿装置において、調湿装置の構成を変更したものである。ここでは、本実施形態について、上記実施形態１と異なる点を説明する。
【０１８０】
図１０に示すように、本実施形態の調湿装置では、ケーシング（10）内の下流側空間（91）が、仕切板（73）によって第１空間（41）と第２空間（42）とに区画されている。第１空間（41）における第１熱源用熱交換器（103）の下方には、第１熱源用熱交換器（103）で生じたドレン水を受けるための第１ドレンパン（106）が設置されている。第２空間（41）における第２熱源用熱交換器（104）の下方には、第２熱源用熱交換器（104）で生じたドレン水を受けるための第２ドレンパン（107）が設置されている。
【０１８１】
上記第１ドレンパン（106）には、第１ドレンパン（106）に溜まったドレン水の水位を検知するための第１フロートスイッチ（110）が取り付けられている。上記第２ドレンパン（107）には、第２ドレンパン（107）に溜まったドレン水の水位を検知するための第２フロートスイッチ（111）が取り付けられている。この第１，第２フロートスイッチ（110,111）が作動すると、第１，第２ドレンパン（106,107）に溜まったドレン水がケーシング（10）の外部へ排出される。
【０１８２】
一方、調湿装置の排水手段（1）は、第１ドレンパン（106）に溜まったドレン水を吸い上げるための第１ドレンポンプ（121）と、第１ドレンポンプ（121）に接続されてドレン水をケーシング（10）の外部へ排出する第１排水管（131）とを備えている。また、排水手段（1）は、第２ドレンパン（107）に溜まったドレン水を吸い上げるための第２ドレンポンプ（122）と、第２ドレンポンプ（122）に接続されてドレン水をケーシング（10）の外部へ排出する第２排水管（132）とを備えている。第１，第２ドレンパン（106,107）に溜まったドレン水は、それぞれ第１，第２ドレンポンプ（121,122）によって吸い上げられ、第１，第２排水管（131,132）を通じてケーシング（10）の外部へ排出される。
【０１８３】
尚、上記第１，第２排水管（131,132）の配置形態として、それぞれの排水管（131,132）を独立した状態でケーシング（10）の外部へ延出させてもよいし、それぞれの排水管（131,132）をケーシング（10）内で接合させて１本の排水管とした後にケーシング（10）の外部へ延出させてもよい。
【０１８４】
《発明の実施形態５》
本発明の実施形態５は、上記実施形態１の調湿装置において、調湿装置の構成を変更したものである。ここでは、本実施形態について、上記実施形態１と異なる点を説明する。
【０１８５】
図１１に示すように、本実施形態の調湿装置では、ケーシング（10）内の下流側空間（91）が、仕切板（73）によって第１空間（41）と第２空間（42）とに区画されている。この仕切板（73）には、第１熱源用熱交換器（103）で生じたドレン水を後述する集合ドレンパン（108）へ導くための連通口（76）が設けられている。
【０１８６】
上記第１空間（41）における第１熱源用熱交換器（103）の下方には、第１熱源用熱交換器（103）で生じたドレン水を受けるための第１ドレンパン（106）が設置されている。第２空間（42）における第２熱源用熱交換器（104）の下方には、第２熱源用熱交換器（104）で生じたドレン水を受けるための第２ドレンパン（107）が設置されている。上記第１ドレンパン（106）と第２ドレンパン（107）の間には、これらドレンパン（106,107）に溜まったドレン水が流入する第３のドレンパンである集合ドレンパン（108）が設置されている。そして、第１，第２ドレンパン（106,107）のそれぞれにおけるドレン水の水位が一定の高さを越えると、集合ドレンパン（108）へドレン水が流入する。
【０１８７】
上記第１ドレンパン（106）には、第１ドレンパン（106）に溜まったドレン水の水位を検知するための第１フロートスイッチ（110）が取り付けられている。上記第２ドレンパン（107）には、第２ドレンパン（107）に溜まったドレン水の水位を検知するための第２フロートスイッチ（111）が取り付けられている。この第１，第２フロートスイッチ（110,111）のうち何れか一方が作動すると、圧縮機（101）と排気ファン（95）と給気ファン（96）とが停止され、第１，第２ドレンパン（106,107）に溜まったドレン水がケーシング（10）の外部へ排出される。
【０１８８】
一方、調湿装置の排水手段（1）は、集合ドレンパン（108）に溜まったドレン水を吸い上げるためのドレンポンプ（120）と、該ドレンポンプ（120）に接続されてドレン水をケーシング（10）の外部へ排出する排水管（130）とを備えている。上記集合ドレンパン（108）に溜まったドレン水は、ドレンポンプ（120）によって吸い上げられ、排水管（130）を通じてケーシング（10）の外部へ排出される。
【０１８９】
本実施形態では、第１，第２ドレンパン（106,107）のドレン水を集合ドレンパン（108）へ集め、この集合ドレンパン（108）から排水手段（1）がドレン水を排出している。このため、ドレンパン（106,107）ごとに排水管（131,132）等を設ける必要がなくなり、排水手段（1）の構成を簡素化できる。
【０１９０】
《発明の実施形態６》
本発明の実施形態６は、上記実施形態１の調湿装置において、調湿装置の構成を変更したものである。ここでは、本実施形態について、上記実施形態１と異なる点を説明する。
【０１９１】
図１２，図１３に示すように、本実施形態の調湿装置において、ケーシング（10）内の下流側空間（91）のうち第１空間（41）には、左側から順に、第１熱源用熱交換器（103）と排気ファン（95）とが設置されている。第１熱源用熱交換器（103）は、排気ファン（95）の吹出側に設けられている。また、第１熱源用熱交換器（103）は、排気ファン（14）を通過後の第１空間（41）を流れる空気と冷媒回路の冷媒とを熱交換させるように構成されている。
【０１９２】
上記ケーシング（10）内の下流側空間（91）のうち第２空間（42）には、右側から順に、冷媒回路の圧縮機（101）と、第２熱源用熱交換器（104）と、給気ファン（96）とが設置されている。第２熱源用熱交換器（104）は、給気ファン（96）の吹出側に設けられている。また、第２熱源用熱交換器（104）は、給気ファン（16）を通過後の第２空間（42）を流れる空気と冷媒回路の冷媒とを熱交換させるように構成されている。
【０１９３】
上記第１，第２熱源用熱交換器（103,104）の下方に１つだけ設けられるドレンパン（105）は、排気ファン（95）及び給気ファン（96）の吹出側に設けられている。このため、第１空間（41）及び第２空間（42）のうち第１，第２熱源用熱交換器（103,104）及びドレンパン（105）が設置される部分の圧力は、排気ファン（95）及び給気ファン（96）の吹出圧力と概ね等しくなっている。つまり、第１空間（41）及び第２空間（42）におけるドレンパン（105）の周囲の気圧は、ケーシング（10）外部の大気圧よりも高くなっている。
【０１９４】
一方、調湿装置の排水手段（1）は、ドレンパン（105）のドレン集合部（109）に溜まったドレン水をケーシング（10）の外部へ排出する排水管（130）を備えている。上述のように、第１空間（41）及び第２空間（42）におけるドレンパン（105）の周囲の気圧は、ケーシング（10）外部の大気圧よりも高くなっている。このため、排水管（130）によってドレンパン（105）をケーシング（10）の外部と連通させると、ドレンパン（105）に溜まったドレン水は、排水管（130）を通ってケーシング（10）の外部へ排出されてゆく。
【０１９５】
また、本実施形態では、除霜運転時における第１熱源用熱交換器（103）の除霜後に、排気ファン（95）及び給気ファン（96）を一時的に停止させる。すると、第１空間（41）と第２空間（42）の圧力が均一化され、第１空間（41）のドレンパン（105）に溜まったドレン水が、仕切板（73）の連通口（76）を通って速やかに第２空間（42）のドレン集合部（109）へと導かれる。
【０１９６】
尚、第１熱源用熱交換器（103）の除霜後において、給気ファン（96）のみを一時的に停止させてもよい。すると、給気ファン（96）の運転中に大気圧より高くなっていた第２空間（42）の圧力が低下し、排気ファン（95）の運転中に大気圧より高くなる第１空間（41）との圧力差が拡大する。そして、第１空間（41）のドレンパン（105）に溜まったドレン水は、仕切板（73）の連通口（76）を通って速やかに第２空間（42）のドレン集合部（109）へと導かれる。
【０１９７】
本実施形態では、第１，第２熱源用熱交換器（103,104）の上流側に排気ファン（95）及び給気ファン（96）を設置し、ドレンパン（105）の周囲の気圧がケーシング（10）外部の大気圧よりも高くなることを利用してドレン水を排水管（130）を通じてケーシング（10）の外部へ排出している。このため、ドレンポンプ（120）を設ける必要がなくなり、排水手段（1）の構成を簡素化できる。
【０１９８】
また、本実施形態では、給気ファン（96）を一時的に停止させる動作を行うと、第２空間（42）の圧力が下がり、第１空間（41）の圧力が第２空間（42）の圧力よりも高くなる。従って、この動作を行うことにより、第１空間（41）に溜まったドレン水を確実にドレン集合部（109）へ導くことができる。
【０１９９】
《発明の実施形態７》
本発明の実施形態７は、上記実施形態６の調湿装置において、調湿装置の構成を変更したものである。ここでは、本実施形態について、上記実施形態６と異なる点を説明する。
【０２００】
図１４に示すように、本実施形態の調湿装置では、ケーシング（10）内の下流側空間（91）が、仕切板（73）によって第１空間（41）と第２空間（42）とに区画されている。また、第１熱源用熱交換器（103）及び第２熱源用熱交換器（104）の下方に１つだけ設置されるドレンパン（105）には、該ドレンパン（105）に溜まったドレン水を集めるためのドレン集合部（109）が、第１空間（41）と第２空間（42）とに１つずつ形成されている。つまり、各熱源用熱交換器（103,104）からドレンパン（105）に落下したドレン水は、第１空間（41）と第２空間（42）のそれぞれに形成されるドレン集合部（109）に集まるようになっている。
【０２０１】
一方、調湿装置の排水手段（1）は、第１空間（41）のドレン集合部（109）に集まったドレン水をケーシング（10）の外部へ排出する第１排水管（131）と、第２空間（42）のドレン集合部（109）に集まったドレン水をケーシング（10）の外部へ排出する第２排水管（132）とを備えている。各ドレン集合部（109）に集まったドレン水は、第１，第２排水管（131,132）を通じてケーシング（10）の外部へ排出される。
【０２０２】
尚、上記第１，第２排水管（131,132）の配置形態として、それぞれの排水管（131,132）を独立した状態でケーシング（10）の外部へ延出させてもよいし、それぞれの排水管（131,132）をケーシング（10）内でに接合させて１本の排水管とした後にケーシング（10）の外部へ延出させてもよい。
【０２０３】
《発明の実施形態８》
本発明の実施形態８は、上記実施形態６の調湿装置において、調湿装置の構成を変更したものである。ここでは、本実施形態について、上記実施形態６と異なる点を説明する。
【０２０４】
図１５に示すように、本実施形態の調湿装置では、ケーシング（10）内の下流側空間（91）が、仕切板（73）によって第１空間（41）と第２空間（42）とに区画されている。第１空間（41）における第１熱源用熱交換器（103）の下方には、第１熱源用熱交換器（103）で生じたドレン水を受けるための第１ドレンパン（106）が設置されている。第２空間（41）における第２熱源用熱交換器（104）の下方には、第２熱源用熱交換器（104）で生じたドレン水を受けるための第２ドレンパン（107）が設置されている。
【０２０５】
上記第１ドレンパン（106）には、第１ドレンパン（106）に溜まったドレン水の水位を検知するための第１フロートスイッチ（110）が取り付けられている。上記第２ドレンパン（107）には、第２ドレンパン（107）に溜まったドレン水の水位を検知するための第２フロートスイッチ（111）が取り付けられている。この第１，第２フロートスイッチ（110,111）が作動すると、第１，第２ドレンパン（106,107）に溜まったドレン水がケーシング（10）の外部へ排出される。
【０２０６】
一方、調湿装置の排水手段（1）は、第１ドレンパン（106）に溜まったドレン水をケーシング（10）の外部へ排出する第１排水管（131）と、第２ドレンパン（107）に溜まったドレン水をケーシング（10）の外部へ排出する第２排水管（132）とを備えている。上記第１，第２ドレンパン（106,107）に溜まったドレン水は、それぞれ第１，第２排水管（131,132）を通じてケーシング（10）の外部へ排出される。
【０２０７】
尚、上記第１，第２排水管（131,132）の配置形態として、それぞれの排水管（131,132）を独立した状態でケーシング（10）の外部へ延出させてもよいし、それぞれの排水管（131,132）をケーシング（10）内でに接合させて１本の排水管とした後にケーシング（10）の外部へ延出させてもよい。
【０２０８】
《発明の実施形態９》
本発明の実施形態９は、上記実施形態６の調湿装置において、調湿装置の構成を変更したものである。ここでは、本実施形態について、上記実施形態６と異なる点を説明する。
【０２０９】
図１６に示すように、本実施形態の調湿装置では、ケーシング（10）内の下流側空間（91）が、仕切板（73）によって第１空間（41）と第２空間（42）とに区画されている。この仕切板には、第１熱源用熱交換器（103）で生じたドレン水を後述する集合ドレンパン（108）へ導くための連通口（76）が設けられている。
【０２１０】
上記第１空間（41）における第１熱源用熱交換器（103）の下方には、第１熱源用熱交換器（103）で生じたドレン水を受けるための第１ドレンパン（106）が設置されている。第２空間（41）における第２熱源用熱交換器（104）の下方には、第２熱源用熱交換器（104）で生じたドレン水を受けるための第２ドレンパン（107）が設置されている。上記第１ドレンパン（106）と第２ドレンパン（107）の間には、これらドレンパン（106,107）に溜まったドレン水が流入する第３のドレンパンである集合ドレンパン（108）が設置されている。そして、第１，第２ドレンパン（106,107）のそれぞれにおけるドレン水の水位が一定の高さを越えると、集合ドレンパン（108）へドレン水が流入する。
【０２１１】
上記第１ドレンパン（106）には、第１ドレンパン（106）に溜まったドレン水の水位を検知するための第１フロートスイッチ（110）が取り付けられている。上記第２ドレンパン（107）には、第２ドレンパン（107）に溜まったドレン水の水位を検知するための第２フロートスイッチ（111）が取り付けられている。この第１，第２フロートスイッチ（110,111）のうち何れか一方が作動すると、圧縮機（101）と排気ファン（95）と給気ファン（96）とが停止され、第１，第２ドレンパン（106,107）に溜まったドレン水がケーシング（10）の外部へ排出される。
【０２１２】
一方、調湿装置の排水手段（1）は、集合ドレンパン（108）に溜まったドレン水をケーシング（10）の外部へ排出する排水管（130）を備えている。上記集合ドレンパン（108）に溜まったドレン水は、排水管（130）を通じてケーシング（10）の外部へ排出される。
【産業上の利用可能性】
【０２１３】
以上説明したように、本発明は、冷凍サイクルが行われる冷媒回路を備えて空気の湿度調節を行う調湿装置について有用である。
【図面の簡単な説明】
【０２１４】
【図１】実施形態１に係る調湿装置の構成および除湿運転時の第１動作における空気の流れを示す概略構成図である。
【図２】実施形態１に係る調湿装置の構成および除湿運転時の第２動作における空気の流れを示す概略構成図である。
【図３】実施形態１に係る調湿装置の構成および加湿運転時の第１動作における空気の流れを示す概略構成図である。
【図４】実施形態１に係る調湿装置の構成および加湿運転時の第２動作における空気の流れを示す概略構成図である。
【図５】実施形態１に係る調湿装置の要部拡大図である。
【図６】実施形態１に係る調湿装置の吸着素子の構成を示す概略斜視図である。
【図７】実施形態１に係る調湿装置において、下流側空間の断面図である。
【図８】実施形態２に係る調湿装置において、下流側空間の断面図である。
【図９】実施形態３に係る調湿装置において、下流側空間の断面図である。
【図１０】実施形態４に係る調湿装置において、下流側空間の断面図である。
【図１１】実施形態５に係る調湿装置において、下流側空間の断面図である。
【図１２】実施形態６に係る調湿装置の構成および除湿運転時の第１動作における空気の流れを示す概略構成図である。
【図１３】実施形態６に係る調湿装置において、下流側空間の断面図である。
【図１４】実施形態７に係る調湿装置において、下流側空間の断面図である。
【図１５】実施形態８に係る調湿装置において、下流側空間の断面図である。
【図１６】実施形態９に係る調湿装置において、下流側空間の断面図である。
【符号の説明】
【０２１５】
（1）    排水手段
（10）   ケーシング
（41）   第１空間
（42）   第２空間
（43）   圧縮機室
（73）   仕切板
（76）   連通口
（77）   流通制限機構（逆止弁）
（91）   下流側空間
（95）   第１のファン（排気ファン）
（96）   第２のファン（給気ファン）
（102）  加熱用熱交換器
（103）  第１の熱源用熱交換器
（104）  第２の熱源用熱交換器
（105）  ドレンパン
（106）  第１のドレンパン
（107）  第２のドレンパン
（108）  第３のドレンパン（集合ドレンパン）
（109）  ドレン集合部
（120,121,122）  ドレンポンプ
（130,131,132）  排水管
【図１】
2005049047.tif 000003
【図２】
2005049047.tif 000004
【図３】
2005049047.tif 000005
【図４】
2005049047.tif 000006
【図５】
2005049047.tif 000007
【図６】
2005049047.tif 000008
【図７】
2005049047.tif 000009
【図８】
2005049047.tif 000010
【図９】
2005049047.tif 000011
【図１０】
2005049047.tif 000012
【図１１】
2005049047.tif 000013
【図１２】
2005049047.tif 000014
【図１３】
2005049047.tif 000015
【図１４】
2005049047.tif 000016
【図１５】
2005049047.tif 000017
【図１６】
2005049047.tif 000018